(57)【要約】      （修正有）【課題】様々な作業を並行して行う草刈り作業では、鎌の置忘れや紛失が多くみられるが、裸のままで鎌を身に着けては危険を伴うため、安全に携行し、出し入れの簡単なクリップ式鎌ケースを提供する。【解決手段】ケースは、クリップ状の鞘を鎌の刀身に沿う弓形かつ鎌の腰に密着するように形成し、表の持ち手側は裏側へ巻き込んで鎌の尻を固定する堤を有した取っ手３を設け、鞘先に刃止めの玉を有する。裏側の鞘口は山なりに切れ込み５を入れ、鞘の先に刃止めの受け穴６を設ける。表裏両面の鞘の峰側に鍵穴形の切れ目７、中央には船形の手溜り８を設け、鞘口の刃元側に腰ベルトやウエストポーチに固定する留具９を設けた。【選択図】図３
0003227345.tif 000002
【実用新案登録請求の範囲】
【請求項１】
鎌の刀身より長く、口を上にして弓形に形成されたクリップ状の鞘（１）の、表の持ち手側を鎌の腰で（２）カットし、更に裏側へ巻き込んで、鎌の尻を固定する堤を有した取っ手（３）を設け、鞘の先に刃止め玉（４）を設け、
裏側の鞘口は山なりに切れ込み（５）を入れ、鞘の先に刃止めの受け穴（６）を設け、
表裏の鞘の峰側に鍵穴形の切れ目（７）を、中央には舟形の手溜り（８）を設け、
鞘口の刃元側に腰ベルトやウエストポーチ、クリップ式鎌専用ポーチ等に固定できる留  具（９）を設けることを特徴とするクリップ式鎌ケース
【考案の詳細な説明】
【技術分野】
【０００１】  本考案は、草刈や除草作業時などの複数作業を併行して行う場合に安全に持ち歩け、素早く出し入れできる、鎌ケースに関するものである。
【背景技術】
【０００２】  従来、鎌カバーは多様な刃の大きさや角度、刃先の形状に対応するため、刃に沿った弓状ではなく筒形状や袋形状で、それを腰ベルトに留めて携帯するものであった。
例えば特許文献３―では横長で鉤形をした袋状の鞘に鎌の刃を差し込む形で鎌の柄を包むように脱落防止の留具を有し、更に鎌を引き抜くと鞘の差し込み口が上方を向くよう工夫した構造となっている。これを腰ベルトに吊り下げて使用することを提案している。
【先行技術文献】
【特許文献】
【０００３】
【特許文献１】特許  第４８５３９８１号  公報
【特許文献２】特開  第２０１１−１２０４９５号  公報
【特許文献３】実登  第３１４７０８８号  公報
【特許文献４】実登  第３０２７７９８号  公報
【特許文献５】意匠登録  第１３００４２２号  公報
【考案の概要】
【考案が解決しようとする課題】
【０００４】        従来は、鎌を携帯する事のみに重きが置かれているという欠点があった。
（イ）鎌を使用する際は、まず左手で鞘を握り右手で脱落防止の留具を外し、その上で柄      を握って引き抜く必要があり、留具の開閉が面倒な上、多くの工程を経て刃を引き      出さなければならなかった。
（ロ）筒状、袋状の鞘の場合、刃先の鋭い鋸鎌などでは、鞘の差し込み口がすれて破れや      すく、刃先が引っ掛かりやすいため刃を傷めることもあった。
（ハ）砂やゴミが鞘の中に溜まりやすく鎌の刃が錆びやすかった。
（ニ）安価なビニール樹脂製品は破れやすかった。
本考案は、以上のような欠点をなくすためになされたものである。
【課題を解決するための手段】
【０００５】  鎌の刀身より長く、口を上にして弓形に形成されたクリップ状の鞘（１）の、持ち手側を鎌の腰に密着できるようカット（２）し、さらに、裏側に巻き込んで鎌の尻を固定する堤を有した取っ手（３）、鞘の先には刃止め玉（４）を設け、
裏側の鞘口は、山なりに切れ込み（５）を入れ、鞘の先に刃止め玉の受け穴（６）を設け、
表裏、両面の鞘の峯側に鍵穴形の切れ目（７）、中央には船形に手溜り（８）を設置し、鞘口の刃元側に腰ベルトやウエストポーチ、及び専用ポーチに固定する留め具（９）を設けることを特徴とするクリップ式鎌ケースである。
【考案の効果】
【０００６】  クリップ式鎌ケースは、クリップの挟む力や鎌尻を固定する取っ手により、刀身を固定した状態で安全に持ち運びができ、その取っ手を、鎌の柄を持つ手の親指で押し広げるだけで簡単に刃を引き抜くことができる。
刃を固定した構造にすることにより、刃ぶれせずにスムーズに収納できるだけでなく、鎌の峰に沿って鞘口を広げ、刃の差し込みも簡単にしている。
スリムな形状でありながら、鎌の様々な厚みや歪みに合わせて鞘の厚みを柔軟に伸縮できる上、摩擦の少ない構造となり、鎌の刃形を選ばずスムーズな出し入れを可能にしている。
手溜りを設けることにより、手が滑りやすい雨ふりや泥ぬれ、手袋装着状況でもしっかり握る事ができ、鞘の補強となっている。
筒抜け構造のため、砂やゴミが溜まり難く、掃除も簡単に行える。
手提げ袋や籠に入れて持ち運ぶ場合も、スリムでかさばらない。さらに、留具穴に紐を通して結んでおけば鎌カバー（鞘）をなくす心配もない。刀身にしっかり密着しており、手溜りで握りやすいため、袋内から取り出す時にもカバーだけ抜け落ちるような事もなく、簡単に取り出しができる。
留め具があることで、腰ベルトやウエストポーチ、専用ポーチ等に装着でき、軽量、コンパクトに携帯ができる。鎌携帯時の負担が少ないため両手が自由に使え、鎌作業を始める時は片手で簡単に出し入れができる。つまり、鎌や鎌カバーの置忘れや紛失を減らし、安全性及び作業効率を引き上げることにも貢献するものである。
【図面の簡単な説明】
【０００７】
【図１】本考案の正面斜視図である。
【図２】本考案の断面図である。
【図３】本考案の背面斜視図である。
【図４】本考案の使用状態（鎌の引出し）の斜視図である。
【図５】本考案の使用状態（鎌の挿入）の斜視図である。
【図６】本考案の取っ手（裏側に堤有した）の拡大図である。
【考案を実施するための形態】
【０００８】  以下、本考案を実施するための最良の形態について説明する。
クリップ状の鞘を、鎌の峰を挟むようにして、刀身より長めの弓形（１）に形成し、持ち手側（２）は鎌の腰に密着できるようカットする。
クリップの挟む力を利用して刀身を固定すると共に、鎌尻を固定するために裏側への提を有した取っ手（３）を設置した。そして、刃先の固定には刃止め玉（４）を設けた。
裏側は鞘口に山なりに切れ込み（５）を入れて間口を広げ、鞘の先に刃止め玉の受け穴（６）を設けた。
裏表の鞘の峰に、刃を均一に挟むための鍵穴形の切れ目（７）、中央に舟形に手溜り（８）を配置した。
鞘口の刃元側には、腰ベルトやウエストポーチ、及び専用ポーチに固定できる留め具（９）を設けた。
これを使用する時は、鎌カバーの紛失予防に留具穴に紐を通して結んだ上で、手提さげ袋や籠に入れて携帯し、右手で鎌の柄を持って取り出し、左手で手溜りを握り、右親指で鎌尻の取っ手を軽く押して刀身を引き出せばよい。さらに、鞘を腰ベルトやウエストポーチ、及び専用ポーチに固定すれば、右手で鎌の柄を持って右親指で鎌尻の取っ手を軽く押すだけで、刀身を引き出すことができる。
【実施例】
【０００９】  個々の刀身の長さや刃のカーブ等に合わせて鎌カバーを作ることが望ましいが、主流の規格に合うよう作成すれば、類以の商品にも使用は可能である。
より安全性を高めるため、鞘口の内側の堤を有した下部に、磁石を内蔵することも可能である。
【産業上の利用可能性】
【００１０】  くびねじり鎌、草かき鎌など独特な刃型や姿態をした鎌にも応用できる。この場合は、刃の両端上部に取っ手と刃止め玉がくるよう鞘の形態を変え、刃を取り出す時には刃の外側へ取っ手を押し広げれば良い。他に、キャンプ用の包丁やナイフ等の刃物全般に応用できるため、刃物を安全に携行して素早く簡単に出し入れしたい時、鞘内の清潔を保てるようにしたい時等、幅広い分野での活用が見込めるものである。
【符号の説明】
【００１１】１  鞘
２  カット
３  取っ手
４  刃止め玉
５  切れ込み
６  受け穴
７  切れ目
８  手溜り
９  留具
【図１】
0003227345.tif 000003
【図２】
0003227345.tif 000004
【図３】
0003227345.tif 000005
【図４】
0003227345.tif 000006
【図５】
0003227345.tif 000007
【図６】
0003227345.tif 000008